(57)【要約】【課題】  本発明は、既設環境での施工においてもガタツキや落下の心配がなく、低コストで容易に施工できる防火垂壁を提供することにある。【解決手段】  天井１０に設置する防火垂壁であって、障子３は、上下框４，５と縦框６とパネル７とを備えており、上下框４，５と下框６は、パネル７の四周を囲んで内周部にパネル７を取り付けてあるとともに、天井１０に取り付けてある上レール１と、上レール１から吊部材８で吊り下げてある下レール２の間に取り付けてあり、縦框６は、上レール１と下レール２の間隔にあわせて長さ調節が自在に形成してあることを特徴とする。【選択図】      図１
2013220140.tif 000002
【特許請求の範囲】
【請求項１】
天井に設置する防火垂壁であって、
障子は、上下框と縦框とパネルとを備えており、上下框と下框は、パネルの四周を囲んで内周部にパネルを取り付けてあるとともに、天井に取り付けてある上レールと、上レールから吊部材で吊り下げてある下レールの間に取り付けてあり、縦框は、上レールと下レールの間隔にあわせて長さ調節が自在に形成してあることを特徴とする防火垂壁。
【請求項２】
天井に設置する防火垂壁であって、
上レールと下レールと障子とを備えており、上レールは、天井に固定するとともに、下レールは、上レールに取り付けてある吊部材で吊り下げて支持しており、障子は、上下框と縦框を框組みしてパネルの四周を囲んでおり、縦框は、上レールと下レールの間隔にあわせて長さ調節が自在に形成してあることを特徴とする防火垂壁。
【請求項３】
縦框は、縦框上部材と縦框下部材と芯材とを有しており、縦框上部材と縦框下部材は、縦框を上下に分割して形成されるものであり、芯材は、縦框上部材と縦框下部材の間に配置しており、縦框上部材と縦框下部材には、いずれかに複数の調整孔が設けてあるとともに、任意の調整孔にネジを挿通して芯材にネジ止めすることにより、縦框の長さ調節が自在に形成してあることを特徴とする請求項１または２記載の防火垂壁。
【発明の詳細な説明】
【技術分野】
【０００１】
本発明は、建物の天井に設置される防火垂壁に関するものである。
【背景技術】
【０００２】
防火垂壁は、公共施設や商業施設、あるいはオフィスなどの天井から垂れ下がる状態で設置してあり、不燃性で且つ透光性を有する不燃パネルやガラスパネルを取り付けた障子を、天井に固定した上レールと下レールの間に配置することにより、万一の火災時に、天井に沿って移動する煙や延焼の進路を塞ぐものである。
【先行技術文献】
【特許文献】
【０００３】
【特許文献１】特開２００６−３３５７７５号公報
【発明の概要】
【発明が解決しようとする課題】
【０００４】
しかしながら、上レールと下レール間の寸法については、製造者毎に定める規格や現場の施工状態により異なっているのが現状である。このことから、不燃パネルやガラスパネル、あるいは障子框の経年劣化により既設の防火垂壁をリフォームする場合に、上レールと下レールに障子が対応せず、防火垂壁を構成する全ての部品の交換を余儀なくされ、さらに、施工者側も手間を要することからコストの増大を招く問題点があった。また、既設環境に無理に障子を取り付ければ、施工後に障子のガタツキが生じたり、障子が上レールと下レールから不意に外れて下方を通る通行人や物に落下し、多大な被害を招く懸念もあった。
【０００５】
本発明は以上に述べたような実情に鑑み、既設環境での施工においてもガタツキや落下の心配がなく、低コストで容易に施工できる防火垂壁を提供することにある。
【課題を解決するための手段】
【０００６】
本発明のうち請求項１記載の発明は、天井に設置する防火垂壁であって、障子は、上下框と縦框とパネルとを備えており、上下框と下框は、パネルの四周を囲んで内周部にパネルを取り付けてあるとともに、天井に取り付けてある上レールと、上レールから吊部材で吊り下げてある下レールの間に取り付けてあり、縦框は、上レールと下レールの間隔にあわせて長さ調節が自在に形成してあることを特徴とする。
【０００７】
本発明のうち請求項２記載の発明は、天井に設置する防火垂壁であって、上レールと下レールと障子とを備えており、上レールは、天井に固定するとともに、下レールは、上レールに取り付けてある吊部材で吊り下げて支持しており、障子は、上下框と縦框を框組みしてパネルの四周を囲んでおり、縦框は、上レールと下レールの間隔にあわせて長さ調節が自在に形成してあることを特徴とする。
【０００８】
本発明のうち請求項３記載の発明では、縦框は、縦框上部材と縦框下部材と芯材とを有しており、縦框上部材と縦框下部材は、縦框を上下に分割して形成されるものであり、芯材は、縦框上部材と縦框下部材の間に配置しており、縦框上部材と縦框下部材には、いずれかに複数の調整孔が設けてあるとともに、任意の調整孔にネジを挿通して芯材にネジ止めすることにより、縦框の長さ調節が自在に形成してあることを特徴とする。
【発明の効果】
【０００９】
本発明のうち請求項１記載の発明によれば、縦框を長さ調節ができるように形成してあることにより、既設の上レールと下レールが取り付けてある現場で新規の障子を取り付けるときに、現場毎に相違した上レールと下レールの間隔の違いに対応して縦框の長さを調節できる。これにより、防火垂壁のリフォームに際して、比較的設置が制限される既設の現場で容易に障子の取り付けができるとともに、上レールと下レールの間隔と障子の寸法の違いにより、防火垂壁のすべての構成部品を取り替える必要がなく、これにより、施主側のコストの削減と作業側の施工手間の軽減を両立できる防火垂壁を提供できる。
【００１０】
本発明のうち請求項２記載の発明によれば、天井に新設する場合であっても、設計どおりの上レールと下レールの間隔が確保できない現場などの現場環境に対応して縦框の長さを調整できることから、現場状況を選ばずに防火垂壁を確実に取り付けることができる。
【００１１】
本発明のうち請求項３記載の発明によれば、障子の縦框が縦框上部材と縦框下部材に分割して形成してあるとともに、縦框上部材と縦框下部材のいずれかに複数の調整孔を設け、上レールと下レールの間隔にあわせて対応する位置にある調整孔にネジを挿通して芯材にネジ止めすることにより、上レールと下レールの間隔にあわせて障子を取り付けるものとして、シンプルな構造でコスト面や耐用性に優れた防火垂壁を提供できる。
【図面の簡単な説明】
【００１２】
【図１】本実施による防火垂壁の一部を拡大した正面図である。
【図２】（ａ）は、図１中Ａ−Ａ線縦断面図であり、（ｂ）は、（ａ）中Ｂの拡大図であり、（ｃ）は、（ａ）中Ｃの拡大図である。
【図３】（ａ）は、本実施による防火垂壁の一部を拡大した正面図であり、（ｂ）は、（ａ）中Ｄ−Ｄ線横断面である。
【図４】（ａ）〜（ｄ）は、本実施による防火垂壁の施工手順を示す簡略化した正面図である。
【図５】本実施による防火垂壁の全体を示す一部を切欠した斜視図である。
【発明を実施するための形態】
【００１３】
以下、本発明による防火垂壁の実施形態を図面に基づいて説明する。
防火垂壁を新設する場合には、上レール１と下レール２は施工者が用意したものを使用するが、経年劣化や物理的に破損したパネル７などを交換するときには、天井１０に既設の上レール１と下レール２がそのまま使用されることから、以下のような構成の防火垂壁を使用する。本実施による防火垂壁は、図５のように、天井１０に取り付ける上レール１と、下レール２と、障子３と、パネル７とからなっている。また、天井１０に対する上レール１の取り付けについては、天井１０の裏側に配置してある鉄筋１６にアンカーボルト１７を固定し、そのアンカーボルト１７に上レール１を固定してある。尚、符号１８は、桁材である。
【００１４】
上レール１は、図１と図２（ａ）のように、天井１０に固定金具で固定してあり、その形状は、図２（ｂ）のように、縦断面下向きほぼコ字型をなすアルミ形材であり、障子３の上框４を収容するレール溝部１ａを有している。下レール２は、図２（ｃ）上レール１と略同じ長さを有するものが使用されており、縦断面上向きほぼコ字型をなすアルミ材であり、障子３の下框５を収容するレール溝部２ａを有するとともに、上レール１から吊部材８で吊り下げて支持してある。
【００１５】
障子３は、上框４と下框５と縦框６を框組みした横長矩形状をなすものであり、各框４〜６の一側の見付け面には、上記のパネル７がネジで取り付けてある。また、縦框６は、上下に分割形成してあるとともに、縦框６の下部が長手方向に伸縮する構造となっている。縦框６の長さを調節する構造については具体的に、縦框６を縦框上部材６ａと縦框下部材６ｂと芯材１２とから形成し、縦框上部材６ａと縦框下部材６ｂは、横断面ほぼＬ字型に形成してあり、それぞれの内周部間に芯材１２を配置してある。さらに、芯材１２は、断面ほぼ長方形状のソリッド材が使用されており、図２（ｂ）のように、芯材１２には一側から他側に向けて貫通した調整孔１４がそれぞれ設けてあるとともに、縦框上部材６ａにネジで固定してある。また、縦框下部材６ｂには、上下に間隔をあけて調整孔１３ａ〜１３ｃが複数設けてあり、芯材１２の調整孔１４と縦框下部材６ｂに設けてある調整孔１３ａ〜１３ｃのいずれかにネジ１５を挿通してネジ止めすることにより、縦框６の長さを上下に調節することができる。また、各々の調整孔１３ａ〜１３ｃ，１４でネジ止めしたネジ１５は、縦框下部材６ｂと下框５を固定する手段も兼ねており、障子３の一側の見付面におけるネジ頭の露出を最小限に抑え、外観意匠性を損ねない構造となっている。尚、本実施による防火垂壁では、縦框下部材６ｂに調整孔１３ａ〜１３ｃを設ける位置が三カ所に設けてあり、それぞれの調整孔１３ａ〜１３ｃが７ｍｍ、１３ｍｍの間隔をあけている。また、上記の間隔については、製造者が定める規格に変更がある場合や、現場状況に対応して調整孔１３ａ〜１３ｃを増やすことなど適宜変更することもできる。
【００１６】
パネル７は、不燃性で且つシートのような可撓性を有する透明または半透明の透過性のあるものを使用しており、本実施ではガラス繊維に合成樹脂を含浸したものが選択されている。これにより、本実施による防火垂壁を天井１０に取り付けたときの視認性の確保、及び室内景観を損ねないものとなっている。また、各框４〜６とパネル７の取り付けは、図２（ａ）（ｂ）を参照すれば、パネル７の四周端部を対応する各框４〜６の内周部に配置するとともに、各框４〜６の溝部にパネル７の端部を入れて一側と他側からパッキン１９で挟み、さらに、各框４〜６との間にアングル２０で挟んでパネル７を固定することにより離脱不能な状態となっている。
【００１７】
また、本実施による防火垂壁は、図４のように、建物の天井１０に上レール１に沿って複数並列に連設してあり、この場合は図２（ａ）のように、上レール１に吊部材８を取り付けて下レール２を吊り下げ、その下レール２のレール溝部２ａに各障子３を収容して天井１０に取り付けるものである。また、各障子３の隣接する縦框６同士を連結材９で連結しており、連結材９は、図２（ｂ）のように、断面ほぼＨ字型をなすものであり、縦框６とほぼ同じ長さに設定してある。また、連結材９は、各障子３の隣り合う縦框６の間に配置するとともに、両側の溝部９ａにそれぞれ縦框６を収容する。また、障子３を連接するときの吊部材のある箇所では、一方の障子３と連結材９との間に吊部材８を挟み、連結材９の溝部９ａに縦框６と一緒に吊部材８を収容することにより、連結材９に吊部材８を収容するスペースを設けるとともに、障子３間の密閉性が確保されて防煙効果を損なわない構造となっている。尚、符号２１は、上下框４，５間に配置されるテンションロッドである。
【００１８】
本実施による防火垂壁の施工手順について図３（ａ）〜（ｄ）に基づいて説明する。
第一の手順として、図３（ａ）のように、障子３の上框４と下框５と縦框６の各々の内周部にパネル７の端部四周を取り付ける。第二の手順として、図３（ｂ）のように、上レール１と下レール２の間隔にあわせて障子３の縦框６の縦框下部材６ｂを伸ばして一致させるとともに、その位置で縦框下部材６ｂと芯材１２の対応する各調整孔１３ａ〜１３ｃ，１４にネジ１５を挿通してネジ止めする。第三の手順として、図３（ｃ）のように、障子３を上レール１と下レール２の各々のレール溝部１ａ，２ａにケンドン式に嵌め込むことにより、図３（ｄ）のように、本実施による防火垂壁の障子３を取り付けが完了する。    
【００１９】
上記のように本実施による防火垂壁を形成すると、新設の現場では、上レール１と下レール２を設置し、現場状況にあわせて障子３の縦框６を調整することにより、障子３をしっかりと取り付けることができる。また、既設の上レール１と下レール２に障子３を取り付ける場合であっても、縦框６を構成する縦框下部材６ｂを下方に伸ばすことにより縦框６を長くして調節し、上レール１と下レール２の間隔にあわせることができるので、既設の防火垂壁の製造者毎に定める規格や現場の施工状況により変化する上レール１と下レール２の様々な間隔に対応して障子３を取り付けることが可能となる。
【００２０】
本発明の防火垂壁は、縦框６の長さを調整する手段として、中空形材からなる縦框６を縦框上部材６ａと縦框下部材６ｂに分割形成し、各々の内部に芯材１２を挿入して適宜な調整孔１３ａ〜１３ｃ，１４にネジ１５でネジ止めするものについて挙げたが、縦框６の長さを調整できるものであればよく、ラチェット式に多段階的な長さ調整ができるもの等であってもよい。
【符号の説明】
【００２１】
１  上レール
２  下レール
３  障子
４  上框
５  下框
６  縦框
６ａ  縦框上部材
６ｂ  縦框下部材
７  パネル
８  吊部材
１０  天井
【図１】
2013220140.tif 000003
【図２】
2013220140.tif 000004
【図３】
2013220140.tif 000005
【図４】
2013220140.tif 000006
【図５】
2013220140.tif 000007